(57)【要約】【課題】従来の扇風機では必須の構成要素であった支柱や平面上の支持部が不要であり、首振りをするための複雑な機械的構造をなくし簡素な構造で首振り運動を可能とする扇風機を提供する。【解決手段】前方ガード３０１と後方ガード３０２とをガード固定部３０５により固定してなる外郭３００内に、ジャイロを発生させる回転可能な重錘１００とファン２００とが内包されておりこれらはモータ回転軸１９上に不動固定されており、回転駆動部１０により回転する。この回転駆動部に対して動力源として電池２０がバランスよく配置されており、スイッチ３１４により起動停止を行う。ジャイロを発生させる回転可能な重錘１００の重心は回転軸上にありファン２００はこのジャイロを発生させる回転可能な重錘の回転により発生するジャイロによりその方向を可変とする構造を持つ。【選択図】図１５
2011241814.tif 000002
【特許請求の範囲】
【請求項１】
複数の回転羽からなるファンと、前記ファンの回転軸上に重心を有するジャイロを発生させる回転可能な重錘を備え前記ジャイロを発生させる回転可能な重錘のこま運動に伴って前記ファンによる送風方向が可変となる構造を有することを特徴とする重錘の回転によるコマ運動により風方向を可変可能なジャイロ式扇風機。
【請求項２】
前記ファンと前記ジャイロを発生させる回転可能な重錘と、これらを回転させる回転駆動部とを備えることを特徴とする請求項1記載の重錘の回転によるコマ運動により風方向を可変可能なジャイロ式扇風機。
【請求項３】
前記ジャイロを発生させる回転可能な重錘は、その外周部より回転中心寄りに空隙を有する環状の回転体として形成されていることを特徴とする請求項1及び請求項２記載の重錘の回転によるコマ運動により風方向を可変可能なジャイロ式扇風機。
【請求項４】
前記ジャイロを発生させる回転可能な重錘は、その外周部の厚みが、外周部以外の部分の厚みよりも厚くなるように形成されていることを特徴とする請求項1から請求項３のいずれかに記載の重錘の回転によるコマ運動により風方向を可変可能なジャイロ式扇風機
【請求項５】
前記ファンと前記回転軸と前記ジャイロを発生させる回転可能な重錘と前記回転駆動部とを内包する外郭を備え、前記回転軸はこの外郭内部に支持されことを特徴とする請求項1から請求項４のいずれかに記載の重錘の回転によるコマ運動により風方向を可変可能なジャイロ式扇風機。
【請求項６】
前記外郭外周に設けられた斜め支持部及び吊下げ部、または前記外郭の外周に設けられた外周接点にフック掛けが設けられこれらを支点として固定することにより、外郭はこの支点を中心にコマ運動や不動静止をすることを可能とすることを特徴とする請求項5記載の重錘の回転によるコマ運動により風方向を可変可能なジャイロ式扇風機。
【発明の詳細な説明】
【技術分野】
【０００１】
本発明は、ジャイロを用いて簡便な方法で送風方向を変えることが可能な扇風機に関する。
【背景技術】
【０００２】
扇風機は通常、送風方向を変えるための首振り機構を備えている。首振り部分は、ファンと、ファンを回転させる動力部とを外郭で格納する構造となっており、外郭を左右に首振り運動をさせるための機構が別途設けられているのが通常である。また、この首振り部分を安定して支えるために、外郭を支柱で支え、この支柱に連結する平面状の支持部を床面に接触させる構造を採っている。
扇風機に関する技術の一例が、以下の文献に記載されている。
【先行技術文献】
【特許文献】
【０００３】
【特許文献１】特開昭63−230996号公報
【特許文献２】特公平6−8634号公報
【特許文献３】実公昭49-17119号広報
【発明の概要】
【発明が解決しようとする課題】
【０００４】
上述した構造の扇風機においては、首振り部分が相当の重量を有しているため、設置面に対して安定して扇風機を支持するためには、平面状の支持部の床面との接触面積を広くする必要があり、扇風機全体として大型になってしまう。また、この構造の扇風機では、首振り角度の範囲が限定されてしまい、送風方向を自由に変えるという点での自由度に乏しい。さらに、首振り機構を設けるための専用の部品が必要となり、部品点数が増え、故障も起きやすくなる。
本発明は、このような事情を考慮してなされたもので、ジャイロを用いることによって首振り機構を簡便な方法で実現し、従来の扇風機では必須の構成要素であった支柱や平面状の支持部や首振りの為の機械構造が不要であり、スペース上の制限を受けずに設置可能な重錘の回転によるコマ運動により風方向を可変可能なジャイロ式扇風機を提供することを目的とする。
【課題を解決するための手段】
【０００５】
以上の課題を解決するために、本発明の重錘の回転によるコマ運動により風方向を可変可能なジャイロ式扇風機は、複数の回転羽からなるファンと、前記ファンの回転軸上に重心を有するジャイロを発生させる回転可能な重錘とを備え、前記ジャイロを発生させる回転可能な重錘のコマ運動にて前記ファンによる送風方向が変えられる構造を有することを特徴とする。
【０００６】
例えばジャイロを発生させる回転可能な重錘の重心部分が凸部になっており、これを支点に回転するコマのようなものに複数の羽根を取り付けた構造をもつもので手動によりコマのように回転可能なものである。
【０００７】
本発明においては、前記ファンと前記ジャイロを発生させる回転可能な重錘とを回転させる回転駆動部とを備えることを特徴とし継続して重錘の回転による継続可能なコマ運動により風方向を可変可能なジャイロ式扇風機。
【０００８】
本発明においては、回転駆動部によってファンとジャイロを発生させる回転可能な重錘とが回転するという動作だけで、ジャイロを発生させる回転可能な重錘のこま運動に伴ってファンによる送風方向が変えられる構造であるため、送風方向を変えるための別途の構造を必要としない。
そのため、極めて簡単な構造で送風方向が可変な扇風機を実現することができる。
【０００９】
本発明においては、前記ジャイロを発生させる回転可能な重錘は、その外周部より回転中心寄りに空隙を有する環状の回転体として形成することができる。ジャイロを発生させる回転可能な重錘はコマ運動を誘起させるために設けた物であるが、このジャイロを発生させる回転可能な重錘を、外周部より回転中心寄りに空隙を有する環状の回転体として形成すると、ジャイロを発生させる回転可能な重錘の質量の割合を外周部に多く構成可能となりその慣性モーメントを大きくすることができるため、コマ運動を誘起しやすく、送風方向の変更を効果的に行うことができる。また、空隙が風の通り道となるため、ジャイロを発生させる回転可能な重錘を取り付けても風量を豊富に確保することができる。
【００１０】
本発明においては、前記ジャイロを発生させる回転可能な重錘は、その外周部の厚みが外周部以外の部分の厚みよりも厚くなるように形成することができる。
ジャイロを発生させる回転可能な重錘をこのように形成すると、ジャイロを発生させる回転可能な重錘の外周部において質量を増やすことが可能となる。そのため、慣性モーメントを大きくすることができるとともに、空隙を設ける場合には、空隙をさらに大きく形成することができるため、風の通り道を確保する点についてもその効果が大きい。また空隙を設けない場合においても慣性モーメントを大きくする効果は有効である。
【００１１】
本発明においては、前記ファンと前記回転軸と前記ジャイロを発生させる回転可能な重錘と前記回転駆動部とを内包する外郭を備え、前記回転軸は外郭内で支持されている。これにより外郭は前記ジャイロを発生させる回転可能な重錘のジャイロの影響を受けこの外郭はこの重錘の力によりコマ運動を行うことができる。
【００１２】
これは前記ジャイロを発生させる回転可能な重錘の回転に伴い発生するジャイロは回転軸を通じて回転可能にこの回転軸を支持しこれらを内包する外郭に対しこの重錘のコマ運動を行わせる。つまりこのジャイロを発生させる回転可能な重錘のコマ運動とこれを内包する外郭のコマ運動は関連した動きをおこなう。
この構造により、外郭がジャイロを発生させる回転可能な重錘とともにコマ運動することが可能となり、ファンが外郭内で保護された状態で送風を一定方向に不動固定又はコマ運動に伴い周囲に送風を行うことを可能とすることができる。
【００１３】
本発明においては、外郭外周に設けられた斜め支持部及び吊り下げ部、または前記外郭の外周に設けられた外周接点にフック掛けを設けることができる。
支持部または外周接点にフック掛けが設けられていることにより、このフック掛けに紐をかけて外郭を吊り下げて使用することができる。またこのフックかけが複数あることによりコマ運動を誘発したり不動固定の運動を可能にしている。さらにこの吊り下げひもであるが、上記外郭が回転運動をするため、この吊り下げひもはこの回転によりよじれることのない構造を有している。
【発明の効果】
【００１４】
本発明によると、ジャイロを用いることによって首振り機構を簡便な方法で実現し、従来の扇風機では必須の構成要素であった支柱や平面状の支持部が不要なジャイロ式扇風機を実現することができる。
【図面の簡単な説明】
【００１５】
【図１】本発明の実施形態に係る重錘の回転によるコマ運動により風方向を可変可能なジャイロ式扇風機に用いられるファンとジャイロを発生させる回転可能な重錘とが連結された状態での正面図である。
【図２】本発明の実施形態に係る重錘の回転によるコマ運動により風方向を可変可能なジャイロ式扇風機に用いられるファンとジャイロを発生させる回転可能な重錘とが連結された状態での側面図である。
【図３】本発明の実施形態に係る重錘の回転によるコマ運動により風方向を可変可能なジャイロ式扇風機に用いられるファンとジャイロを発生させる回転可能な重錘とが連結された状態での背面図である。
【図４】本発明の実施形態に係る重錘の回転によるコマ運動により風方向を可変可能なジャイロ式扇風機に用いられるファンの構造を示す図である。
【図５】本発明の実施形態に係る重錘の回転によるコマ運動により風方向を可変可能なジャイロ式扇風機に用いられるジャイロを発生させる回転可能な重錘の構造を示す図である。
【図６】ジャイロを発生させる回転可能な重錘の他の実施形態を用いた物を示す図である。
【図７】本発明に係るもっとも基本的な重錘の回転によるコマ運動により風方向を可変可能なジャイロ式扇風機の構造と動作原理を説明する図である。
【図８】本発明に係るもっとも基本的な重錘の回転によるコマ運動により風方向を可変可能なジャイロ式扇風機に回転駆動部を設けた物を示す図である。
【図９】本発明に係るもっとも基本的な重錘の回転によるコマ運動により風方向を可変可能なジャイロ式扇風機に回転駆動部を設けた物の回転時における力作用を示す図である。
【図１０】本発明の実施形態に係る従来型の扇風機による実施形態であるジャイロを発生させる回転可能な重錘を取り付けた見取り図である。
【図１１】本発明の実施形態に係るファンとジャイロを発生させる回転可能な重錘と回転駆動部の取り付け図である。
【図１２】本発明の実施形態に係る従来型の扇風機による実施形態を簡略した略図である。
【図１３】本発明の実施形態に係る従来型の扇風機による実施形態による首振り回転を示す図である。
【図１４】本発明の実施形態に係る重錘の回転によるコマ運動により風方向を可変可能なジャイロ式扇風機の正面図と背面図である。
【図１５】本発明の実施形態に係る重錘の回転によるコマ運動により風方向を可変可能なジャイロ式扇風機の右側面図と平面図である。
【図１６】本発明の実施形態に係る重錘の回転によるコマ運動により風方向を可変可能なジャイロ式扇風機の断面図である。
【図１７】下げ紐の構造を示す図である。
【図１８】本発明の実施形態に係る重錘の回転によるコマ運動により風方向を可変可能なジャイロ式扇風機の吊り下げによる支持方法を示す図である。
【図１９】フック掛けの詳細を示す図である。
【図２０】本発明の実施形態に係る重錘の回転によるコマ運動により風方向を可変可能なジャイロ式扇風機を斜め方向に支持する方法を示す図である。
【発明を実施するための最良の形態】
【００１６】
以下に、本発明をその実施形態に基づいて説明する。
図１から図５に、本発明の実施形態に係る重錘の回転によるコマ運動により風方向を可変可能なジャイロ式扇風機に用いられるファンとジャイロを発生させる回転可能な重錘の構造を示す。図１はファンとジャイロを発生させる回転可能な重錘とが連結された状態での正面図であり、図２はその側面図、図３は背面図である。また、図４にファンのみの構造を示しており、図4（a）はファンの正面図、同（b）は側面図、同（c）は背面図である。また、図５にジャイロを発生させる回転可能な重錘のみの構造を示しており、図５（a）はジャイロを発生させる回転可能な重錘の側面図、同（b）は正面図である。
【００１７】
図４によりファン２００は円板状の中心部２００ｄに対して複数の回転羽２００aが放射状に取り付けられて形成されていることが解り、さらに図２によりファン２００の回転軸１8がジャイロを発生させる回転可能な重錘１００を貫通するようにジャイロを発生させる回転可能な重錘１００が配置されている。この配置において、ジャイロを発生させる回転可能な重錘１００の重心は、回転軸１８上に位置している。
【００１８】
ジャイロを発生させる回転可能な重錘１００のファン２００への取り付けは、図4に示すファン２００の背面であってファン２００の回転中心位置に存在する中心部２００ｄに設けられたファン軸穴２００ｂに回転軸１８を通し、図５に示すジャイロを発生させる回転可能な重錘１００の重心位置となる重錘軸穴１００ｂをこの回転軸１８に対して貫通固定することによってなされている。これにより、ジャイロを発生させる回転可能な重錘１００はファン２００の回転に伴って回転する。図4において、Kはファン２００の回転中心であり、図5（a）において、Jはジャイロを発生させる回転可能な重錘１００の重心である。
【００１９】
ジャイロを発生させる回転可能な重錘１００は、図５（b）に示すように、中心部１００eから放射状に外周側に伸びた複数の連結部１００aによって、中心部１００eと環状の外周部１００dとが連結されており、中心部１００eと環状の外周部１００dとの間であって連結部１００a以外の部分は空隙１００cとなっている。すなわち、ジャイロを発生させる回転可能な重錘１００は、外周部１００dよりも回転中心寄りに空隙１００cを有する環状の回転体として形成されている。ジャイロを発生させる回転可能な重錘１００をこのように形成することにより、ジャイロ重錘１００の質量を外周部分に多く配分しこの慣性モーメントを大きくすることができるため、こま運動を誘起しやすく、送風方向の変更を効果的に行うことができる。また、ファン２００を取り付けた状態を示す図１から明らかなように、ファン２００が回転したときの風の通り道が、空隙１００cによって確保されるため、ジャイロを発生させる回転可能な重錘１００を取り付けても風量を豊富に確保することができる。
【００２０】
中心部１００eに設けられた中心凸部１００hは、図５（a）に示すように、ジャイロを発生させる回転可能な重錘１００の外周部１００dの面１００fよりも少し盛り上がるように形成されており、この中心凸部１００hの盛り上がりによって、ジャイロを発生させる回転可能な重錘１００をファン２００に結合させた図２のときに、ジャイロを発生させる回転可能な重錘１００の連結部１００aは、ファン２００の回転羽２００aの背面に接触しないように間隔をあけて配置されることとなる。
【００２１】
図６には重錘の外周部１００ｄは面１００ｆより厚みを増してある構造になっておりこれにより重錘の外周部分の質量が増し慣性モーメントを大きくすることを可能としている。さらに空隙１００ｃの面積を増すことができ、効果的に風の通過を可能とすることができる。
【００２２】
図７は本発明に係るもっとも基本的な重錘の回転によるコマ運動により風方向を可変可能なジャイロ式扇風機の構造と動作原理を説明する図である。図7(a)は回転軸１８はジャイロを発生させる回転可能な重錘１００の重心Ｇを通過し接触面Ｘに対して垂直に位置し、これは不動自立にて回転している。図７（ｂ）は重心Ｇは接触面Ｘに対し回転軸１８の接触面との接点Ｓは垂直になっておらず重力方向Ｙとずれているため、この重力方向Ｙの外周を回転するコマ運動を行う図である。
【００２３】
この図７で説明の通り重錘の回転によるコマ運動により風方向を可変可能なジャイロ式扇風機の最も簡単な構造で風を可変する事が可能となる。手動にて回転軸１８を回転させジャイロを発生させる回転可能な重錘１００が回転始めることにより発生する慣性モーメントによりファン２００は回転をする。図7(b)の様に垂直下方向Yに対して斜めに手動で回転を加えることで、ファン２００はジャイロを発生させる回転可能な重錘のコマ運動により周囲に風を送風可能となる。
この場合ファン２００の風の抵抗によるジャイロを発生させる回転可能な重錘の慣性モーメントの力に対して反作用により回転速度は減速しやすく、長い時間の使用には耐えられないので短時間での使用となる。
【００２４】
次に回転速度を一定に保つため回転駆動部１０を取り付けた物が図８で、本発明に係るもっとも基本的な重錘の回転によるコマ運動により風方向を可変可能なジャイロ式扇風機に回転駆動部を設けた物を示す図である。この図はモータ回転軸１９を回転駆動部１０で回転させる図であり、図８(a)は回転駆動部を回転させジャイロを発生させる回転可能な重錘１００が十分に回転し始めて接地面Ｘに対してこのモータ回転軸１９の一方の端を接地させ、このモータ回転軸１９を垂直に立てることにより不動自立で静止してる図であり、図８（ｂ）はジャイロを発生させる回転可能な重錘１００が十分に回転し始めたところで接地面Ｘに対して斜めにモータ回転軸１９がなるようにこの一方の端を接触面Ｘとの接点Ｓに立てることによりすなわち重力方向Ｙに対してこの軸が斜めになりコマ運動をしている図である。
【００２５】
図９は回転駆動部１０で回転するファン２００とジャイロを発生させる回転可能な重錘１００が回転する方向の反作用で回転駆動部１０が反対方向に回転する図である。
このように回転駆動部１０による力はファン２００とジャイロを発生させる回転可能な重錘１００を左に回転させると、この回転駆動部にはこの力の反作用により右側に回転する力関係にある。さらにこの回転駆動部１０はフリーの状態であり抵抗を受けていないため簡単にこの反作用に対して前記反作用による回転を開始する。前記図７や図８の場合と同じく、ジャイロを発生させる回転可能な重錘１００が十分回転しジャイロを発生するのを確認して床面Ｘに対して接するためこの床面に対しては、慣性モーメントの働もあり安定して回転をする。この場合モータ回転軸１９は接触面Ｘに対して直接接して左回転を維持することができる。しかしファン２００による風の抵抗が前記慣性モーメントに対して反作用の力が大きい場合は、この反作用の影響を回転駆動部１０が受けやすい状況でありこのモータ回転軸１９に対しての回転速度には影響を及ぼしやすい。そのためジャイロを発生させる回転可能な重錘１００は回転を維持することが困難になりやすくファン２００による風も減速し易い。先行技術文献のにある特許文献3に記載されている玩具はこの風の抵抗がない場合である。よってこのファン２００の空気抵抗やファン２００の回転数による風の抵抗の値により慣性モーメントの力は変化する。
【００２６】
以上で基本となっているジャイロを発生させる回転可能な重錘１００とファン２００の関係の説明を終え製品として実施形態の詳細に入っていく。
【００２７】
図１０は本発明の実施形態に係る従来型の扇風機による実施形態であるジャイロを発生させる回転可能な重錘を取り付けた見取り図である。図１０(a)は従来型の扇風機であって、図１０(b)はこの扇風機のファン２００の後方にこれを回転させるモータ回転軸１９上にジャイロを発生させる回転可能な重錘１００を取り付けた図である。図１０（ｂ）のケース７３内部には従来型の扇風機の構造である首振り機構が設けられていない。回転駆動部１０のみが設置されているのみの構造となっている。この図１０（ｂ）の簡略図を図１２に示すとともに従来型扇風機図１０(a)の首振り構造図を省略する。
【００２８】
図１１は本発明の実施形態に係るファンとジャイロを発生させる回転可能な重錘と回転駆動部の取り付け図である。前記図１０で説明してる取り付け部分を分かりやすく取り出した取り付け図である。ファン２００とこれを回転させる回転駆動部１０があって、これと同一回転軸となるモータ回転軸１９の回転によりこのファン２００とジャイロを発生させる回転可能な重錘１００が回転する。
【００２９】
これにより図１１記載のジャイロを発生させる回転可能な重錘１００のコマ運動によりこのファン２００は図１０記載の支持部７１に回転可能に取り付けられた首振り回転部７０を支点にケース７３とともに回転する。この回転するイメージを示す図が図１３であり、簡略な図として示す図が図１２である。
【００３０】
図１２は本発明の実施形態に係る従来型の扇風機による実施形態を簡略した略図である。前記した図１１のファン２００とジャイロを発生させる回転可能な重錘１００とこれを回転させる回転駆動部１０を首振り可能に支える首振り回転部７０があり、これを回転可能に支持する支持部７１があってこれらを不動に支持するための支持受座７２がある。
【００３１】
図１３は本発明の実施形態に係る従来型の扇風機による実施形態による首振り回転を示す図である。図１３(a)から図１３(b)へと回転し、図１３(b)から図13(a)へと戻る様子を示している。
【００３２】
図１４は本発明の実施形態に係る重錘の回転によるコマ運動により風方向を可変可能なジャイロ式扇風機の製品としての実施形態正面図と背面図である。図１４（a）は製品としての実施形態の正面図であり図１４（b）は製品としての実施形態背面図である。外郭３００の前面には前面ガード３０１がありこの中央には支持部３０４が突出しており、外周には外周接点３０６がありこれにはフック掛け３０７が配置されている。図１４（b）は製品としての実施形態背面図であるが、外郭３００の背面は後方ガード３０２で覆われておりその中央には支持部３０４が突出して設けられている。さらにこの支持部３０４の根本からは外周に向けて左右に斜め支持部及び吊り下げ部３０９がのびており外周には外周接点３０６が伺える。動力源を出し入れするための電池ケースふた３１３があり回転駆動
部に動力の切り替えを行うためのためのスイッチ３１４が設けられている。
【００３３】
図１５は本発明の実施形態に係る重錘の回転によるコマ運動により風方向を可変可能なジャイロ式扇風機の右側面図と平面図である。図１５（a）は右側面図であり図１５（b）は平面図である。全面ガード３０１と全面ガード３０２はガード固定部３０５によりこれらは固定され、外郭３００を形成している。さらに外郭３００の全面と背面には支持部３０４があり、背面の支持部３０４はモータ回転軸１９の先端に固定されている。後方ガード３０２に設けられている斜め支持部及び吊り下げ部３０９にはフック掛け３０８が設けられている。このフック掛け３０８の部分の斜め支持部及び吊り下げ部の構造は突部形状に丸く突出した形状となっている。図１５（b）でも解るようにこの斜め支持部及び吊り下げ部３０９は、回転軸１９に接触しないように設けられ緩やかなテーパーを形成して外周部分に対して低くなるように形成し後方ガード３０２に対して固定されている。
【００３４】
図１６は本発明の実施形態に係る重錘の回転によるコマ運動により風方向を可変可能なジャイロ式扇風機の断面図である。外郭３００内に回転駆動部１０が設けられておりこの回転駆動部１０の両側に、回転駆動部１０に電力を供給するための電池２０が配置されている。電池２０を回転駆動部１０の両側に、その重量が均等になるように配置しているのは、ジャイロを発生させる回転可能な重錘１００とファン２００とが回転する際に、重量のバランスを失しないためである。電池２０は電池ケース３１１内に収容されており、電池ケース３１１は電池ケースふた３１３によって保護されている。電池２０にはスイッチ３１４が接続されている。
この回転駆動部１０よりモータ回転軸１９がジャイロを発生させる回転可能な重錘１００の重心位置を通過しファン２００の回転中心を通過して、前面ガード３０１上に突出し支持部３０４と接合する。さらにモータ回転軸１９は後方ガード方向にものびており、後方ガード３０２より突出して大きく伸び出したその先には、支持部３０４を接合する。この場合ファン２００とジャイロを発生させる回転可能な重錘１００はモータ回転軸１９に不動固定されていてモータ回転軸１９とともに回転可能である。前面ガード３０１と後方ガード３０２上の構成は図１４や図１５で述べたとおりである。
【００３５】
図１７は下げ紐の構造を示す図である。図１７（a）は回転可能なよりもどし部を数珠状につなげた物でありその先端にフック４２があり、図１７（ｂ）はよりもどし部の両端に回転可能な状態で設けられる、紐掛け部４１aがありこれに、紐部４０が取り付けられその先端にフック４２が配置される。
【００３６】
図１８には、本発明の実施形態に係る重錘の回転によるコマ運動により風方向を可変可能なジャイロ式扇風機の吊り下げによる支持方法を示す図である。
図１８（a）では、外郭３００の外周の一部に設けられた外周接点３０６にフック４２を掛けて下げ紐４３を連結して支持したものである。この場合には、外郭３００が不動状態で固定されて、ファン２００による送風方向は一定方向に固定される。
【００３７】
図１８（b）では、後方ガード３０２上に設けられた斜め支持部及び吊り下げ部３０９に設けられたフック掛け３０８にフック４２を掛けて下げ紐４３を連結して支持したものである。この場合には、外郭３００がフック掛け３０８を回転中心として３６０度回転するようにすることができ、極めて広い範囲に風を送ることができる。
【００３８】
この様にフックを使用して外郭を固定支持することにより前記したファンの回転により外郭の受ける反作用により、重錘の回転により作り出されるジャイロの力の相殺を防ぐことにも効果がある。
【００３９】
図１９はフック掛けの詳細を示す図である。
この図は図１９（a）に示す外周接点３０６にあるフック掛け３０７の詳細を示しており、図１９（a）、（b）に示すように、上端部３０７aの外周部をアーチ状に残してその下方に空隙３０７bが形成されており、この空隙３０７bに対して、（c）に示すようにフック４２を通すことによって、フック４２はフック掛け３０７に引っかかる構図となる。
【００４０】
図１９（ｄ）、（e）は、図１５（ｂ）にある斜め支持部及び吊り下げ部３０９上に設けられているフック掛け３０８である。こちらは斜め支持部及び吊り下げ部３０９上に穴があけられておりこれにフック４２を通して吊り下げる簡単な構造である。
【００４１】
図２０は、発明の実施形態に係る重錘の回転によるコマ運動により風方向を可変可能なジャイロ式扇風機を斜め方向に支持する方法を示す図である。外郭３００上に設置されている外周接点３０６の２カ所と斜め支持部及び吊り下げ部３０９の凸部とをあわせ３カ所にて外郭３００を接触面Ｘに接触させて固定するものである。このようにすると、外郭３００が斜め方向に不動状態で固定されて、ファン２００による送風方向は一定方向に固定される。この場合モータ回転軸１９の先端にある支持部３０４は接触面Ｘには接しない。
【産業上の利用可能性】
【００４２】
本発明は、ジャイロを用いることによって首振り機構を簡便な方法で実現するものであり、従来の扇風機では必須の構成要素であった首振りのための機械的な構造やファンと動力部を支持する支柱や平面状の設置面に取り付けるための広い支持部が不要とすることも可能であり、スペース上の制限を受けずにどのような場所でも設置可能な扇風機として利用することができる。
【符号の説明】
【００４３】
１０  回転駆動部
１８  回転軸
１９  モータ回転軸
２０  電池
４０  紐部
４１  よりもどし部
４１a 紐掛け部
４２  フック
４３  下げ紐
７０  首振り回転部
７１  支持部
７２  支持受座
７３  ケース
７５  スイッチ部
７７  ガード
１００  ジャイロを発生させる回転可能な重錘
１００a 連結部
１００b 重錘軸穴
１００c 空隙
１００d 外周部
１００e 中心部
１００f 面
１００h 中心凸部
２００  ファン
２００a 回転羽
２００b ファン軸穴
２００d 中心部
２００e 羽受け枠
２０１  ファン形態Ｂ
３００  外郭
３０１  前方ガード
３０２  後方ガード
３０３  支持軸部
３０４  支持部
３０５  ガード固定部
３０６  外周接点
３０７  フック掛け
３０７a 上端部
３０７ｂ  空隙
３０８  フック掛け
３０９  斜め支持部及び吊り下げ部
３１１  電池ケース
３１２  モーター固定部
３１３  電池ケースふた
３１４  スイッチ
３２０  回転軸受け
３２１  内側軸受け止め
Ｇ  重心位置
Ｊ  ジャイロを発生させる回転可能な重錘の重心
Ｋ  ファンの回転中心
Ｓ  接触面との接点
Ｘ  接触床面
Ｙ  重力方向
【図１】
2011241814.tif 000003
【図２】
2011241814.tif 000004
【図３】
2011241814.tif 000005
【図４】
2011241814.tif 000006
【図５】
2011241814.tif 000007
【図６】
2011241814.tif 000008
【図７】
2011241814.tif 000009
【図８】
2011241814.tif 000010
【図９】
2011241814.tif 000011
【図１０】
2011241814.tif 000012
【図１１】
2011241814.tif 000013
【図１２】
2011241814.tif 000014
【図１３】
2011241814.tif 000015
【図１４】
2011241814.tif 000016
【図１５】
2011241814.tif 000017
【図１６】
2011241814.tif 000018
【図１７】
2011241814.tif 000019
【図１８】
2011241814.tif 000020
【図１９】
2011241814.tif 000021
【図２０】
2011241814.tif 000022